(57)【要約】【課題】  バルコニーの手摺り等の突設部が上下左右に揺れ動いても、外壁との接合部位を簡易で確実に、しかも、安価に防水するための乾式防水部材を提供する。【解決手段】  建物の外壁と、前記外壁に対して間隙を存して設けられる突設部との間に介挿される乾式防水部材であって、前記乾式防水部材は、前記間隙上方を覆う中央片と、この中央片の両側に連接して前記間隙側方を覆う側片とからアーチ形状に形成され、前記間隙の幅方向に伸縮自在とされ、前記中央片には前記両側片の方向に向かって排水溝が形成されたことを特徴とする。【選択図】  図１
2005194753.tif 000002
【特許請求の範囲】
【請求項１】
建物の外壁と、前記外壁に対して間隙を存して設けられる突設部との間に介挿される乾式防水部材であって、前記乾式防水部材は、前記間隙上方を覆う中央片と、この中央片の両側に連接して前記間隙側方を覆う側片とからアーチ形状に形成され、前記間隙の幅方向に伸縮自在とされ、前記中央片には前記両側片の方向に向かって排水溝が形成されたことを特徴とする乾式防水部材。
【請求項２】
前記乾式防水部材は、一枚のシートから前記アーチ形状に形成され、前記アーチ形状に形成されたシートの中央片は、断面形状がＶ字状となるように谷折りされて前記上面の排水溝として形成され、前記アーチ形状に形成されたシートの両側片は、断面形状がＷ字状となるように折りたたまれ、前記中央片及び前記各側片の幅方向の両端部側を前記外壁側又は前記突設部側の面に当接する当接部として伸縮自在となるように形成されたことを特徴とする請求項１に記載の乾式防水部材。
【請求項３】
前記シートの前記中央片の当接部と前記側片の当接部との各連接部に、長手方向の中心線に直交する方向に切れ込み部を設け、前記各切れ込み部の先端部から前記Ｖ字を構成する谷線との間に形成される折り曲げ線を、前記切れ込み部の延長線から４５°の角度で、前記側片側に傾斜させて形成することにより、前記Ｖ字を構成する谷線と、前記Ｗ字を構成する山線とを連続させた状態で、前記中央片に対して両側片を直角に折り曲げるようにしたことを特徴とする請求項２に記載の乾式防水部材。
【請求項４】
前記当接部は、前記乾式防水部材の介挿方向に対して後側となる縁部を、当接される面側に所定幅で折り返されて折り返し部が形成されたものであることを特徴とする請求項２又は３に記載の乾式防水部材。
【請求項５】
前記当接部の当接面側には、粘着部が形成されたことを特徴とする請求項２乃至４のいずれかに記載の乾式防水部材。
【請求項６】
前記粘着部は、前記折り返し部を除いて形成されたことを特徴とする請求項５に記載の乾式防水部材。
【請求項７】
前記シートは、キャスティングポリプロピレンから形成されたものであることを特徴とする請求項２乃至６のいずれかに記載の乾式防水部材。
【請求項８】
建物の外壁と、前記外壁に対して間隙を存して設けられる突設部との間に垂直方向に介挿される乾式防水部材であって、前記乾式防水部材は、一枚のシートを、断面形状がＷ字状となるように折りたたみ、前記間隙の幅方向の両端部側を前記外壁側又は前記突設部側の面に当接する当接部として伸縮自在となるようにするとともに、請求項２乃至７のいずれかに記載の乾式防水部材の両側片を、その内方に差し込むことができるように形成されたことを特徴とする乾式防水部材。
【請求項９】
請求項８に記載の乾式防水部材の上部のＷ字を構成する山線に所定の長さで切り込み部を設け、前記切り込み部の先端部から前記Ｗ字を構成する前記山線から両側の各谷線方向に切り込み部を設け、前記折り山を形成していた部分を前記折り山と反対方向に折り返して延設部を形成し、請求項２乃至７のいずれかに記載の乾式防水部材の中央片の当接部とこれに隣接する側片の当接部間を、前記乾式防水部材の上部の延設部が設けられた被覆部により覆うようにしたことを特徴とする請求項８に記載の乾式防水部材。
【請求項１０】
前記乾式防水部材の前記当接部は、前記乾式防水部材の介挿方向に対して後側となる縁部を、当接される面側に、所定幅で折り返されることにより折り返し部が形成されたものであることを特徴とする請求項８又は９に記載の乾式防水部材。
【請求項１１】
前記当接部の当接面側には、粘着部が形成されたことを特徴とする請求項８乃至１０のいずれかに記載の乾式防水部材。
【請求項１２】
前記粘着部は、前記折り返し部を除いて形成されたことを特徴とする請求項１１に記載の乾式防水部材。
【請求項１３】
前記シートは、キャスティングポリプロピレンから形成されたものであることを特徴とする請求項８乃至１１のいずれかに記載の乾式防水部材。
【発明の詳細な説明】
【技術分野】
【０００１】
本発明は、建築物の乾式防水部材に関し、詳細には、外壁と、前記外壁に対して間隙を存して設けられるバルコニーの手摺り部材等の突設部との接合部を防水するための乾式防水部材に関するものである。
【背景技術】
【０００２】
従来の、外壁と、その外壁に対して、水平方向に突設するバルコニーの手摺り等の突設部とが当接する部位の防水方法について図７を使用して説明する。
図７において、符号ａで示されるものは外壁、ｂは外壁ａ，ａ間の目地、ｃは柱、ｄはバルコニーの手摺りである。バルコニーの手摺りｄと外壁パネルａ，ａとの接合部位には、通常、５〜３０ｍｍ程度の間隙ｆ（上方ｆｔ，側方ｆｓ）が生じるために、従来、コーキング材やガスケットを詰めて防水を行っていた。
しかしながら、バルコニーの手摺りｄは、外壁ａ，ａのように柱ｃによって固定されるものではなく、１枚の独立した壁によって構成されているために、外壁ａ，ａ間の目地ｂよりも著しい挙動を常時受けることになる。また、バルコニーの下方には、必ず居室があるために、漏水は許されるものではないが、コーキング材では、バルコニーの手摺りｄの挙動に対して長期間に亘って追従することができなかった。また、ガスケットでは、アーチ状の間隙ｅに適合させるために、２ヶ所切り口を設けなければならず確実に防水することができず、また、ガスケットは押し出し成型によって製造されるために経時的に収縮してしまい確実に防水することができなかった。
【発明の開示】
【発明が解決しようとする課題】
【０００３】
そこで、本発明は、上記従来技術の問題点を解決するためのもので、バルコニーの手摺り等の突設部が上下左右に揺れ動いても、外壁との接合部位を簡易で確実に、しかも、安価に防水するための乾式防水部材を提供することを目的とする。
【課題を解決するための手段】
【０００４】
上記課題を解決するために、本発明者等は鋭意検討の結果、アーチ形状の防水材を介挿することにより、簡易で確実に、しかも、安価に防水施工することができるという知見に基づき、下記の通り解決手段を見出した。
即ち、本発明の乾式防水部材は、請求項１に記載の通り、建物の外壁と、前記外壁に対して間隙を存して設けられる突設部との間に介挿される乾式防水部材であって、前記乾式防水部材は、前記間隙上方を覆う中央片と、この中央片の両側に連接して前記間隙側方を覆う側片とからアーチ形状に形成され、前記間隙の幅方向に伸縮自在とされ、前記中央片には前記両側片の方向に向かって排水溝が形成されたことを特徴とする。
また、請求項２に記載の本発明は、請求項１に記載の乾式防水部材において、前記乾式防水部材は、一枚のシートから前記アーチ形状に形成され、前記アーチ形状に形成されたシートの中央片は、断面形状がＶ字状となるように谷折りされて前記上面の排水溝として形成され、前記アーチ形状に形成されたシートの両側片は、断面形状がＷ字状となるように折りたたまれ、前記中央片及び前記各側片の幅方向の両端部側を前記外壁側又は前記突設部側の面に当接する当接部として伸縮自在となるように形成されたことを特徴とする。
また、請求項３に記載の本発明は、請求項２に記載の乾式防水部材において、前記シートの前記中央片の当接部と前記側片の当接部との各連接部に、長手方向の中心線に直交する方向に切れ込み部を設け、前記各切れ込み部の先端部から前記Ｖ字を構成する谷線との間に形成される折り曲げ線を、前記切れ込み部の延長線から４５°の角度で、前記側片側に傾斜させて形成することにより、前記Ｖ字を構成する谷線と、前記Ｗ字を構成する山線とを連続させた状態で、前記中央片に対して両側片を直角に折り曲げるようにしたことを特徴とする。
また、請求項４に記載の本発明は、請求項２又は３に記載の乾式防水部材において、前記当接部は、前記乾式防水部材の介挿方向に対して後側となる縁部を、当接される面側に所定幅で折り返されて折り返し部が形成されたものであることを特徴とする。
また、請求項５に記載の本発明は、請求項４に記載の乾式防水部材において、前記当接部の当接面側には、粘着部が形成されたことを特徴とする。
また、請求項６に記載の本発明は、請求項５に記載の乾式防水部材において、前記粘着部は、前記折り返し部を除いて形成されたことを特徴とする。
また、請求項７に記載の本発明は、請求項２乃至６のいずれかに記載の乾式防水部材において、前記シートは、キャスティングポリプロピレンから形成されたものであることを特徴とする。
また、本発明の乾式防水部材は、請求項８に記載の通り、建物の外壁と、前記外壁に対して間隙を存して設けられる突設部との間に垂直方向に介挿される乾式防水部材であって、前記乾式防水部材は、一枚のシートを、断面形状がＷ字状となるように折りたたみ、前記間隙の幅方向の両端部側を前記外壁側又は前記突設部側の面に当接する当接部として伸縮自在となるようにするとともに、請求項２乃至７のいずれかに記載の乾式防水部材の両側片を、その内方に差し込むことができるように形成されたことを特徴とする。
また、請求項９に記載の本発明は、請求項８に記載の乾式防水部材の上部のＷ字を構成する山線に所定の長さで切り込み部を設け、前記切り込み部の先端部から前記Ｗ字を構成する前記山線から両側の各谷線方向に切り込み部を設け、前記折り山を形成していた部分を前記折り山と反対方向に折り返して延設部を形成し、請求項２乃至７のいずれかに記載の乾式防水部材の中央片の当接部とこれに隣接する側片の当接部間を、前記乾式防水部材の上部の延設部が設けられた被覆部により覆うようにしたことを特徴とする。
また、請求項１０に記載の本発明は、請求項８又は９に記載の乾式防水材において、前記乾式防水部材の前記当接部は、前記乾式防水部材の介挿方向に対して後側となる縁部を、当接される面側に、所定幅で折り返されることにより折り返し部が形成されたものであることを特徴とする。
また、請求項１１に記載の本発明は、請求項８乃至１０のいずれかに記載の乾式防水材において、前記当接部の当接面側には、粘着部が形成されたことを特徴とする。
また、請求項１２に記載の本発明は、請求項１１に記載の乾式防水部材において、前記粘着部は、前記折り返し部を除いて形成されたことを特徴とする。
また、請求項１３に記載の本発明は、請求項８乃至１１のいずれかに記載の乾式防水材において、前記シートは、キャスティングポリプロピレンから形成されたものであることを特徴とする。
【発明の効果】
【０００５】
本発明の建物の外壁と外壁に対して間隙を存して設けられる突設部との間に介挿される乾式防水部材は、間隙上方を覆う中央片と、この中央片の両側に連接して間隙側方を覆う側片とからアーチ形状に形成され、前記間隙の幅方向に伸縮自在とされ、中央片には両側片の方向に向かって排水溝が形成されるようにしたので、簡易、且つ、確実に、建物の外壁と、バルコニーの手摺り等の突設部との接合部を防水することができる。しかも、バルコニーの手摺り等が揺れたりしても、防水部は、伸縮自在であるために、防水状態を維持することができる。また、隣接する外壁間に形成される目地が含まれる形態で、バルコニーの手摺り等の突設部が接合される部位においても確実に防水することができる。
また、一枚のシートを折りたたんで形成することができるので非常に安価に製造することができる。
また、前記シートの中央片の当接部と側片の当接部との各連接部に、長手方向の中心線に直交する方向に切れ込みを設け、各切れ込みの先端部からＶ字を構成する谷線との間に形成される折り曲げ線を、切れ込み部の延長線から４５°の角度で、側片側に傾斜させて形成することにより、Ｖ字を構成する谷線と、Ｗ字を構成する山線とを連続させた状態で、中央片に対して両側片を直角に折り曲げるようにした場合、中央片に対して両側片を直角に折り曲げても、Ｖ字底部に形成される排水溝は途切れることなく両側片内方に連通させることができるので確実に防水をすることができる。
また、本発明の建物の外壁と外壁に対して間隙を存して設けられる突設部との間に垂直方向に介挿される乾式防水部材によれば、一枚のシートを、断面形状がＷ字状となるように折りたたみ、間隙の幅方向の両端部側を外壁側又は突設部側の面に当接する当接部として伸縮自在となるようにするとともに、上記したアーチ形状の乾式防水部材の両側片を差し込むことができるように形成することにより、施工時に予め垂直方向に乾式防水部材を介装しておいて、後から、アーチ形状の乾式防水材によりキャップをするように差し込むだけで、外壁と突設部との間の角部を確実に防水することができる。
また、乾式防水部材の上部のＷ字を構成する山線に切り込み部を設けるとともに、折り山を形成していた部分を折り山と反対方向に折り返して延設部を形成し、上記アーチ形状の乾式防水部材の中央片の当接部とこれに隣接する側片の当接部間を、乾式防水部材の上部の延設部が設けられた被覆部により覆うようにした場合、間隙の上面側から両側への防水性を高めることができる。
また、更に、上記した乾式防水部材の当接部に、乾式防水部材の介挿方向に対して後側となる縁部を、所定幅で当接される面側に折り返される折り返し部を形成した場合、乾式防水部材を介装した後に、必要に応じて使用される転圧部材の介装作業をスムーズに行うことができる。
また、当接部の当接面側には、粘着部を形成した場合には、外壁又は突設部への貼着作業が容易となる。更に、粘着部を折り返し部を除いて形成した場合、外壁又は突設部の当接面側に折り曲げられた状態となるので、前記した転圧部材の介挿を容易にすることができる。
また、上記乾式防水部材を構成するシートを、キャスティングポリプロピレンとした場合、カッター等により折り曲げ線を形成して、その後、この折り曲げ線に沿って折り曲げる等しても破断することがないので所望形状の組立性に優れる。しかも、保形成に優れるために作業性も優れたものとなる。また、防水材として耐久性及び耐候性の優れたものとすることができる。
【発明を実施するための最良の形態】
【０００６】
次に、本発明の乾式防水部材について図面を参照して説明する。
【０００７】
図１は、本発明の一実施の形態であるアーチ形状の乾式防水部材１の斜視図を示すものである。図示されるものは、図７に示される防水部位となる間隙ｆ上方ｆｔを覆う中央片２と、側方ｆｓを覆う側片３とからアーチ形状に形成されている。
【０００８】
中央片２は、断面形状がＶ字状になるように折り曲げられ、間隙ｆの幅方向に伸縮自在に形成されている。また、中央片２の内側には、両側片３，３の方向に向かって排水溝２ｃが形成され、外壁を伝わってきた水滴等がこの排水溝２ｃを介して両側片３，３の方向へ流出するようになされている。また、中央片２の幅方向の端部面側は、外壁又は突設部に当接することになる当接部２ｂ，２ｂが形成され、この当接部２ｂには、同図（ｂ）に示されるように、防水機能を有する粘着シート４として離型紙を備えたブチルゴムシートが設けられている。また、当接部２ｂには、当接部２ｂが挿入される方向に対して後側となる縁部に、当接される面側に所定幅で折り返される折り返し部２ｒが形成されている。この折り返し部２ｒは、中央片２を間隙ｆに介装した後に、同図（ｃ）に示すように弾性を有する転圧部材５を中央片２内方に介装する際の作業性をよくするためのものである。
【０００９】
一方、各側片３，３は、所定の長さで構成されており、各側片３，３は、断面形状がＷ字状になるように折りたたまれ、中央片２と同様に、間隙ｆの幅方向に伸縮自在に形成されている。
また、各側片３，３の当接部３ｂには、側片３が挿入される方向に対して後側となる縁部に、当接される面側に所定幅で折り返される折り返し部３ｒが形成されている。この折り返し部３ｒは、側片３を間隙ｆに介装した後に、同図（ｄ）に示すように弾性を有する転圧部材５を側片３内方に介装する際の作業性をよくするためのものである。また、側片３の当接部３ｂの当接面側にも、同図（ｂ）に示されるように、折り返し部３ｒを除いて、防水機能を有する粘着シート４として離型紙を備えたブチルゴムシートが設けられている。
【００１０】
上記構成による乾式防水部材１の施工方法について説明する。まず、乾式防水部材１を、図７に示される間隙ｆに幅方向を縮められた状態で介挿すると、乾式防水部材１は、介挿後に幅方向へ広がろうとして、この間隙ｆ内に仮止めされた状態となる。この状態にしてから、中央片２及び両側片３，３の当接部２ｂ，３ｂ，３ｂに設けられた粘着シート４の離型紙を剥がして外壁又は突設部に貼着する。そして、転圧部材５をアーチ状に中央片２及び両側片３，３の開放部から挿入して防水施工を完了させる。
尚、転圧部材５は、粘着シート４の経時劣化を補うためのものであり、必要に応じて設けるようにすればよい。また、転圧部材５は、弾性を有しているものであればよく、例えば、ガスケット等を使用することができる。また、転圧部材５の装着時に外表面側は、外壁等の色彩や模様等に合わせた化粧面を設けるようにしてもよい。
また、中央片２の当接部２ｂと側片の当接部３ｂとの間の内側（図１（ｂ）において点線で表す部分。他の部分は省略。）には、防水効果を高めるために防水機能を有する粘着シート４を貼着するようにしてもよい。尚、この場合の粘着シート４は、当接部２ｂ及び当接部３ｂの外壁又は突設部の当接面側に設けても、当接面の反対側に設けてもよい。また、当接面側に設ける場合には、乾式防水部材１を貼着するために使用する粘着シート４と兼用するようにしてもよい。尚、両面に粘着性を備えたブチルゴムテープ等の粘着シート４を、当接面の反対側、即ち、中央片２のＶ字の溝２ｃ側や側片３のＷ字の内側に貼着する場合には、後から必要に応じて介挿される転圧部材の介挿作業を容易にするために粘着シートの転圧部材が接触する側にフィルム等を設けることが好ましい。
【００１１】
上記乾式防水部材１は、図２に展開図を示すように、所定形状に裁断された１枚のキャスティングポリプロピレンシート１'に、図中符号６，７，８，９で示される折れ筋と、図中符号１０で示される切り込み部を設けるだけで簡単に作成可能で、このキャスティングポリプロピレンシート１'の側片３，３側をＷ字状に折りたたんで、中央片２の両側から立ち上げるようにして直角に折り曲げ、中央片２はＶ字状に折りたたんでアーチ形状に形成することができる。
尚、図中切り込み部１０は、当接部２ｂと当接部３ｂとを分離できるように、折れ筋６（シート１'の長手方向の中心線）に直交する方向に所定の長さで形成されており、また、折り筋９は、切り込み部１０の延長線から４５°（θ）の角度で中央片２側から側片３側に傾斜するようにして形成されている。この切り込み部１０と折れ筋９により、中央片２に対して側片３，３は直角に折り曲げることができる。
上記実施の形態では、一枚のシート１’を折りたたむことにより乾式防水材１を形成するようにしたが、例えば、図３に示すように、樹脂材料等を用いて金型からアーチ形状の乾式防水材１を一体成型することもできる。
また、上記実施の形態では、説明のために両側片３，３の長さを同じ長さのものとして説明したが、ベランダ等の施工部位の形状に合わせて側片３，３の長さを異ならせるようにしてもよい。
【００１２】
次に、上記乾式防水部材１と組み合わせて使用することにより確実に防水施工可能な乾式防水部材の組合例について説明する。
図４に示されるものは、上記説明したアーチ形状の乾式防水部材１の両側片３，３が差し込まれる形態の乾式防水部材１１で、Ｗ字状に折りたたまれ、幅方向に伸縮自在となるように形成されている。
尚、図示されるものでは、乾式防水部材１１の上部を被覆部として形成するために、上端部のＷ字状を構成する山線１２に切り込み部１５を設けるとともに前記切り込み部１５の先端部からＷ字状を構成する山線１２の両側の各谷線１３方向に切り込み部１６，１６を設け、折り山を形成していた部分を折り山方向と反対方向に折り返すことにより延設部１１ｅを設けるようにしている。尚、延設部１１ｅの高さは、上記アーチ形状の乾式防水部材１の中央片２の高さとほぼ同じ高さに形成されており、また、延設部１１ｅは、上記アーチ形状の乾式防水部材１の中央片２の当接部２ｂとこれに隣接する側片３の当接部３ｂとを外方から覆う程度の長さに形成されている。
また、当接部１１ｂの挿入方向に対して後側となる縁部には、当接される面側に、折り返される折り返し部１１ｒが形成されている。
また、図示しないが、当接部１１ｂの当接面側には、折り返し部１１ｒを除いて、防水機能を有する粘着シートとして離型紙を備えたブチルゴムシートが設けられている。
【００１３】
上記構成による乾式防水部材１１を、乾式防水部材１と組み合わせて使用する施工方法について説明する。まず、乾式防水部材１１は、図７に示される間隙ｆの側方ｆｓ，ｆｓに幅方向に縮められて介挿すると、乾式防水部材１１は、介挿後幅方向に広がろうとして、この間隙ｆ内に仮止めされた状態となる。この状態にしてから、当接部１１ｂに設けられた粘着シートの離型紙を剥がして外壁又は突設部に貼着する。そして、乾式防水部材１１には、その上方から図５（ａ）に示されるように上記説明したアーチ形状の乾式防水部材１の両側片３，３が差し込まれる。この時、同図（ｂ）に示されるように、被覆部は、アーチ形状の乾式防水部材１の中央片２と側片３の当接部２ｂ，３ｂ間を覆うことになる。更に、必要に応じて、転圧部材を、乾式防水部材１１とアーチ形状の乾式防水部材１の開放部から挿入して防水施工を完了させる。
上記構成により、例えば、アーチ形状の乾式防水部材１の両側片３，３の長さを１００ｍｍ程度とした場合であっても、動風圧１０００ＨＰａ下において水の浸入を防ぐことができるようになる。
【００１４】
上記乾式防水部材１１は、図６に展開図を示すように、所定形状に裁断されたポリプロピレンキャスティングシート１１’に、図中符号１２，１３，１４で示される折れ筋と、図中符号１５，１６で示される切り込み部を設けるだけで作成可能であり、このキャスティングポリプロピレンシート１１'は、Ｗ字状に折りたたまれ、延設部１１ｅを折り返して、断面形状がＷ字形状の乾式防水部材１１となる。
【００１５】
また、上記した乾式防水部材１，１１は、いずれのキャスティングポリプロピレンから形成したが、材料について必ずしも限定するものではない。
【図面の簡単な説明】
【００１６】
【図１】（ａ）本発明の一実施の形態を示す乾式防水部材の斜視図、（ｂ）同乾式防水部材の貼着材を説明するための斜視図、（ｃ）同乾式防水部材に介挿される転圧部材を説明するための中央片の拡大側面図、（ｄ）同乾式防水部材に介挿される転圧部材を説明するための側片の拡大平面図
【図２】図１の乾式防水部材の展開図
【図３】他の乾式防水部材の説明図
【図４】上記実施の形態を示す乾式防水部材と組み合わせて使用するのに好適な乾式防水部材の斜視図
【図５】（ａ）図１の乾式防水部材の両側片を、図３の乾式防水部材に差し込むことについて説明するための正面説明図、（ｂ）同差し込んだ後を説明するための正面説明図
【図６】図３の乾式防水部材の展開図
【図７】外壁と、突設部との接合状態を説明するための説明図
【符号の説明】
【００１７】
１    （アーチ形状の）乾式防水部材
２    中央片
３    側片
４    粘着シート
５    転圧部材
６    折れ筋
７    折れ筋
８    折れ筋
９    延長線
１０    切り込み部
１１    乾式防水部材
１２    山線
１３    谷線
１４    折れ筋
１５    切り込み部
１６    切り込み部
１７    乾式防水部材
１８    粘着シート
【図１】
2005194753.tif 000003
【図２】
2005194753.tif 000004
【図３】
2005194753.tif 000005
【図４】
2005194753.tif 000006
【図５】
2005194753.tif 000007
【図６】
2005194753.tif 000008
【図７】
2005194753.tif 000009